(57)【要約】【課題】  パネル間の目地と、パネルに形成された擬似目地との見え方を同じにすることができるパネル構造を提供する。【解決手段】  擬似目地（縦溝２０）が形成されたパネル（外壁パネル１０）間にガスケット４０が取り付けられたパネル構造である。このパネル構造において、ガスケット４０は、ガスケット４０の幅方向の両端部に、パネル（外壁パネル１０）の縁部に沿うリップ部（第１リップ部４２）と、ガスケット４０の幅方向において、リップ部（第１リップ部４２）より内側で、ガスケット４０の長手方向に延在して、外側に突出する凸条部４５と、凸条部４５の先端から内側に凹む凹条部４８と、を備え、擬似目地（縦溝２０）は、凸条部４５と並行に形成された、凸条部４５と略同じ形状の擬似目地凸条部２５と、凹条部４８と略同じ形状の擬似目地凹条部２８と、を備える。【選択図】図５
2020176390.tif 000002
【特許請求の範囲】
【請求項１】
擬似目地が形成されたパネル間にガスケットが取り付けられたパネル構造であって、
前記ガスケットは、
前記ガスケットの幅方向の両端部に、前記パネルの縁部に沿うリップ部と、
前記ガスケットの幅方向において、前記リップ部より内側で、前記ガスケットの長手方向に延在して、外側に突出する凸条部と、
前記凸条部の先端から内側に凹む凹条部と、を備え、
前記擬似目地は、
前記凸条部と並行に形成された、前記凸条部と略同じ形状の擬似目地凸条部と、
前記凹条部と略同じ形状の擬似目地凹条部と、を備える
ことを特徴とする、パネル構造。
【請求項２】
前記パネル間の目地の幅と、前記擬似目地の幅とは、同じ幅である
ことを特徴とする、請求項１に記載のパネル構造。
【請求項３】
前記凹条部と前記擬似目地凹条部は、断面円弧状又は断面Ｖ字状に形成される
ことを特徴とする、請求項１又は２に記載のパネル構造。
【請求項４】
前記凸条部は、前記ガスケットの幅に対して、１／２０〜４／２０程の高さであり、
前記リップの先端の厚み以上の高さである
ことを特徴とする、請求項１〜３の何れか一項に記載のパネル構造。
【発明の詳細な説明】
【技術分野】
【０００１】
本発明は、擬似目地が形成されたパネル間にガスケットが取り付けられたパネル構造に関するものである。
【背景技術】
【０００２】
従来、パネルに形成された擬似目地と、パネル間の目地との形状を同じにしたパネル構造が知られている（例えば、特許文献１参照）。
【０００３】
特許文献１には、接合端縦目地部の形状を、製品縦目地形状と同一にする構成が開示されている。これにより、縦目地部の仕上がり感を、製品縦目地と同様にすることができる。
【先行技術文献】
【特許文献】
【０００４】
【特許文献１】実開平５―１９４０４号公報
【発明の概要】
【発明が解決しようとする課題】
【０００５】
しかしながら、特許文献１の構成は、外壁材の接合端縦目地部の対向端面の中間部に、目地部の長手方向に伸びる係止段部を設け、ジヨイナーの表側フランジ部両外端を、係止段部に係止する構成である。そのため、特許文献１の構成は、ジヨイナーのフランジ部と、外壁材との間に隙間が形成され、縦目地部と、製品縦目地との見え方が異なってしまう、という問題がある。
【０００６】
そこで、本発明は、パネル間の目地と、パネルに形成された擬似目地との見え方を同じにすることができるパネル構造を提供することを目的とする。
【課題を解決するための手段】
【０００７】
前記目的を達成するために、本発明のパネル構造は、擬似目地が形成されたパネル間にガスケットが取り付けられたパネル構造であって、前記ガスケットは、前記ガスケットの幅方向の両端部に、前記パネルの縁部に沿うリップ部と、前記ガスケットの幅方向において、前記リップ部より内側で、前記ガスケットの長手方向に延在して、外側に突出する凸条部と、前記凸条部の先端から内側に凹む凹条部と、を備え、前記擬似目地は、前記凸条部と並行に形成された、前記凸条部と略同じ形状の擬似目地凸条部と、前記凹条部と略同じ形状の擬似目地凹条部と、を備えることを特徴とする。
【０００８】
ここで、本発明のパネル構造では、前記パネル間の目地の幅と、前記擬似目地の幅とは、同じ幅であってもよい。
【０００９】
また、本発明のパネル構造では、前記凹条部と前記擬似目地凹条部は、断面円弧状又は断面Ｖ字状に形成されてもよい。
【００１０】
また、本発明のパネル構造では、前記凸条部は、前記ガスケットの幅に対して、１／２０〜４／２０程の高さであり、前記凸条部は、前記リップの先端の厚み以上の高さであってもよい。
【発明の効果】
【００１１】
このように構成された本発明のパネル構造では、ガスケットは、ガスケットの幅方向の両端部に、パネルの縁部に沿うリップ部と、ガスケットの幅方向において、リップ部より内側で、ガスケットの長手方向に延在して、外側に突出する凸条部と、凸条部の先端から内側に凹む凹条部と、を備え、擬似目地は、凸条部と並行に形成された、凸条部と略同じ形状の擬似目地凸条部と、凹条部と略同じ形状の擬似目地凹条部と、を備える。これにより、ガスケットの凸条部とその影を、リップ部とその影より、パネル間の目地の中央付近に形成することができる。そのため、リップ部とその影を目立たなくすることができる。そして、パネル間の目地と、擬似目地との見え方を同じにすることができる。
【００１２】
また、本発明のパネル構造では、パネル間の目地の幅と、擬似目地の幅とは、同じ幅であるので、パネルの間の目地と、擬似目地との見え方を同じようにすることができる。
【００１３】
また、本発明のパネル構造では、凹条部と擬似目地凹条部は、断面円弧状に形成されるので、パネルの間の目地と、擬似目地との見え方を、柔らかい印象を与えるデザインにして、同じようにすることができる。
【００１４】
また、本発明のパネル構造では、凹条部と擬似目地凹条部は、断面Ｖ字状に形成されるので、パネルの間の目地と、擬似目地との見え方を、シャープな印象を与えるデザインにして、同じようにすることができる。
【００１５】
また、本発明のパネル構造では、凸条部は、ガスケットの幅に対して、１／２０〜４／２０程の高さであるので、凸条部と擬似凸条部とから、適度な印象を受けるデザインとすることができる。そのため、パネルに形成された化粧材から受ける印象を維持しつつ、パネルの間の目地と、擬似目地との見え方を、同じようにすることができる。
【００１６】
また、本発明のパネル構造では、凸条部は、リップの先端の厚み以上の高さであるので、凸条部により形成される影を、リップ部により形成される影より、大きくすることができる。そのため、凸条部による影を、リップ部により形成される影より、強調することができる。
【図面の簡単な説明】
【００１７】
【図１】実施例１の外壁パネルが取り付けられるユニット建物を示す斜視図である。
【図２】実施例１の外壁パネルを示す平面図である。
【図３】実施例１の外壁パネルを拡大して示す平面図である。
【図４】実施例１の目地の構造を示す分解断面図である。
【図５】実施例１の目地と擬似目地の構造を示す断面図である。
【図６】実施例１の外壁パネルの構造の作用を示す図である。
【図７】実施例２の外壁パネルの構造を示す分解断面図である。
【図８】実施例２の外壁パネルの構造を示す断面図である。
【図９】別の実施例の外壁パネルの構造を示す断面図である。
【図１０】別の実施例の外壁パネルの構造を示す断面図である。
【発明を実施するための形態】
【００１８】
以下、本発明によるパネル構造を実現する実施形態を、図面に示す実施例１及び実施例２に基づいて説明する。
【実施例１】
【００１９】
実施例１のパネル構造は、ユニット建物の外壁パネルに適用される。
【００２０】
［外壁パネルの構造］
図１は、実施例１の外壁パネルが取り付けられるユニット建物を示す斜視図である。図２は、実施例１の外壁パネルを示す平面図である。以下、図１及び図２に基づいて、実施例１の外壁パネルの構造を説明する。
【００２１】
図１に示すように、ユニット建物１には、パネルとしての外壁パネル１０が複数取り付けられる。隣り合う外壁パネル１０の横方向（水平方向）の隙間には、後述するガスケット４０が取り付けられて目地３０が形成される。
【００２２】
（外壁パネルの構成）
外壁パネル１０は、例えば硬質木片セメントで、矩形の板状に形成される。外壁パネル１０は、図２に示すように、表面に化粧材を構成する凸部１１と、凸部１１間の縦方向（垂直方向）の横溝１５と、凸部１１間の横方向（水平方向）の縦溝２０とを備える。
【００２３】
凸部１１は、例えばタイルや石材やレンガ等の形状を模したものとすることができる。横溝１５と縦溝２０は、例えばタイルや石材やレンガ等の目地を模した擬似目地とする。
【００２４】
［目地の構成］
図３は、実施例１の外壁パネル１０を拡大して示す平面図である。図４は、実施例１の目地３０の構造を示す分解断面図である。図５は、実施例１の目地３０と擬似目地の構造を示す断面図である。以下、図３〜図５に基づいて、実施例１の外壁パネル１０の目地３０の構成を説明する。
【００２５】
外壁パネル１０の横方向の間には、図３〜図５に示すように、目地３０が形成される。目地３０は、外壁パネル１０の縁部としての面取り部１２と、ガスケット４０とで、凹溝状に形成される。
【００２６】
面取り部１２は、図４及び図５に示すように、凸部１１から外壁パネル１０の側面１３に向けて、水平方向に対して傾斜して形成される。隣り合う外壁パネル１０の面取り部１２間は、図５に示すように、幅Ｎ１に形成される。すなわち、目地３０は、幅Ｎ１に形成される。
【００２７】
ガスケット４０は、硬質のゴムや硬質塩化ビニル樹脂などの耐候性を有する材料で形成される。ガスケット４０は、図４に示すように、芯部４１と、屋外側に面するリップ部としての第１リップ部４２と、第１リップ部４２より屋内側に配置される第２リップ部４３と、第２リップ部４３より屋内側に配置される第３リップ部４４と、から構成される。
【００２８】
第１リップ部４２は、芯部４１の一方の先端から横方向に突出して形成される。第１リップ部４２の先端は、ガスケット４０の幅方向の両端を形成する。
【００２９】
第１リップ部４２の先端間の幅（ガスケット４０の幅）は、幅Ｗ１に形成される。第１リップ部の幅Ｗ１は、例えば１２［ｍｍ］とすることができる。第１リップ部４２の先端は、厚みＴ１に形成される。第１リップ部４２の先端の厚みＴ１は、例えば０．８［ｍｍ］にすることができる。
【００３０】
第１リップ部４２は、凸条部４５を有する。凸条部４５は、ガスケット４０の幅方向の中央付近から、外側（屋外側）に突出する。凸条部４５は、第１リップ部４２の表面（上面）４２ａから外側に突出する。すなわち、凸条部４５は、ガスケット４０の幅方向において、第１リップ部４２の先端より内側で、ガスケット４０の長手方向に延在して、外側に突出する。
【００３１】
第１リップ部４２の表面４２ａと凸条部４５の側面４５ａとで形成される面は、折れ曲がるようにして断面Ｖ字状に形成される。なお、第１リップ部４２の表面４２ａと凸条部４５の側面４５ａとで形成される面は、断面円弧状に形成されてもよい。
【００３２】
凸条部４５は、幅Ｗ２で高さＴ２に形成される。凸条部４５の幅Ｗ２は、例えば７［ｍｍ］にすることができる。凸条部４５の高さＴ２は、好ましくは、ガスケット４０の幅Ｗ１に対して、１／２０〜４／２０程の高さとする。凸条部４５の高さＴ２は、好ましくは、厚みＴ１以上とする。凸条部４５の高さＴ２は、例えば０．９［ｍｍ］にすることができる。
【００３３】
凸条部４５の先端には、凹条部４８が形成される。凹条部４８は、凸条部４５の頂面から内側（屋内側）に凹んで形成される。凹条部４８は、半径Ｒ１の断面円弧状に形成される。凹条部４８の半径Ｒ１は、例えば６〜１０［ｍｍ］にすることができる。
【００３４】
凹条部４８が形成されることで、凸条部４５は、第１凸条部４６と第２凸条部４７とで略Ｍ字型の２つのピークを有する滑らかな形状（ツインピークス形状）に形成される。第１凸条部４６と第２凸条部４７は、半径Ｒ２の断面円弧状に形成される。第１凸条部４６と第２凸条部４７の半径Ｒ２は、例えば１［ｍｍ］にすることができる。
【００３５】
第２リップ部４３は、芯部４１の略中央付近から、横方向に突出して形成される。第３リップ部４４は、芯部４１の他方の先端から横方向に突出して形成される。
【００３６】
第１リップ部４２と、凸条部４５と、凹条部４８とは、表面にアクリル系塗料とウレタン系塗料を塗布して汚れを防止するようにしてもよい。
【００３７】
なお、第１リップ部４２は、芯部４１に対して取り外し可能に構成してもよい。これにより、外壁パネル１０に合わせて、第１リップ部の形状や材質を変更することができる。
【００３８】
このように構成されたガスケット４０は、図５に示すように、隣り合う外壁パネル１０の間の隙間に挿入される。第１リップ部４２は、外壁パネル１０の面取り部１２に沿うように弾性変形して接触する。第２リップ部４３と第３リップ部４４は、外壁パネル１０の側面１３に沿うように弾性変形して接触する。
【００３９】
［擬似目地の構成］
以下、図３及び図５に基づいて、実施例１の擬似目地の構成を説明する。
【００４０】
外壁パネル１０には、図３及び図５に示すように、擬似目地としての縦溝２０が形成される。縦溝２０は、面取り部１６と、溝底部１７と、擬似目地凸条部２５と、擬似目地凹条部２８と、とで凹溝状に形成される。
【００４１】
面取り部１６は、凸部１１から水平方向に対して、面取り部１２と同じ傾斜角度で傾斜して形成される。対向する２つの面取り部１６間は、幅Ｎ１と同じ大きさの幅Ｎ２に形成される。すなわち、縦溝２０は、幅Ｎ１と同じ大きさの幅Ｎ２に形成される。
【００４２】
溝底部１７は、外壁パネル１０の間の隙間に挿入されたガスケット４０の第１リップ部４２の表面４２ａと、高さ方向において略同じ位置に形成される。
【００４３】
擬似目地凸条部２５は、凸条部４５と並行に形成される。擬似目地凸条部２５は、横方向において、縦溝２０の中央付近から外側に突出して形成される。擬似目地凸条部２５は、凸条部４５と略同じ形状に形成される。すなわち、擬似目地凸条部２５の高さと幅は、凸条部４５と略同じ形状に形成される。
【００４４】
擬似目地凸条部２５は、第１擬似目地凸条部２６と第２擬似目地凸条部２７とで略Ｍ字型の２つのピークを有する滑らかな形状（ツインピークス形状）に形成される。第１擬似目地凸条部２６と第２擬似目地凸条部２７とは、それぞれ、第１凸条部４６と第２凸条部４７と同じ形状に形成される。
【００４５】
擬似目地凸条部２５の先端には、擬似目地凹条部２８が形成される。擬似目地凹条部２８は、凹条部４８と略同じ形状に形成される。すなわち、擬似目地凹条部２８は、凹条部４８と同じ半径Ｒ１の断面円弧状に形成される。
【００４６】
［パネル構造の作用］
次に、実施例１のパネル構造の作用を説明する。実施例１のパネル構造は、擬似目地（縦溝２０）が形成されたパネル（外壁パネル１０）間にガスケット４０が取り付けられたパネル構造である。このパネル構造において、ガスケット４０は、ガスケット４０の幅方向の両端部に、パネル（外壁パネル１０）の縁部に沿うリップ部（第１リップ部４２）と、ガスケット４０の幅方向において、リップ部（第１リップ部４２）より内側で、ガスケット４０の長手方向に延在して、外側に突出する凸条部４５と、凸条部４５の先端から内側に凹む凹条部４８と、を備え、擬似目地（縦溝２０）は、凸条部４５と並行に形成された、凸条部４５と略同じ形状の擬似目地凸条部２５と、凹条部４８と略同じ形状の擬似目地凹条部２８と、を備える（図３）。
【００４７】
これにより、図６に示すように、ガスケット４０の凸条部（第１凸条部４６と第２凸条部４７）とその影４６Ａ，４７Ａを、リップ部（第１リップ部４２）とその影４２Ａより、パネル（外壁パネル１０）間の目地３０の中央付近に形成することができる。そのため、ガスケット４０の凸条部（第１凸条部４６と第２凸条部４７）とその影４６Ａ，４７Ａを、リップ部（第１リップ部４２）とその影４２Ａより、強調させることができる。その結果、リップ部（第１リップ部４２）とその影４２Ａを目立たなくすることができる。
【００４８】
そして、ガスケット４０の凸条部（第１凸条部４６と第２凸条部４７）及びその影４６Ａ，４７Ａと、擬似目地凸条部（第１擬似目地凸条部２６と第２擬似目地凸条部２７）とその影２６Ａ，２７Ａとを同じような形状と影にすることができる。そのため、パネル（外壁パネル１０）間の目地３０と、擬似目地（縦溝２０）との見え方を同じにすることができる。
【００４９】
実施例１のパネル構造において、パネル（外壁パネル１０）間の目地３０の幅Ｎ１と、擬似目地（縦溝２０）の幅Ｎ２とは、同じ幅である（図５）。
【００５０】
これにより、パネル（外壁パネル１０）の間の目地３０と、擬似目地（縦溝２０）との見え方を同じようにすることができる。
【００５１】
実施例１のパネル構造において、凹条部４８と擬似目地凹条部２８は、断面円弧状に形成される（図４）。
【００５２】
これにより、パネル（外壁パネル１０）間の目地３０と、擬似目地（縦溝２０）とを、柔らかい印象を与えるデザインに統一することができる。そのため、パネル（外壁パネル１０）の間の目地３０と、擬似目地（縦溝２０）との見え方を、柔らかい印象を与えるデザインにして、同じようにすることができる。
【００５３】
実施例１のパネル構造において、凸条部４５は、ガスケット４０の幅に対して、１／２０〜４／２０程の高さであり、凸条部４５は、リップ（第１リップ部４２）の先端の厚み以上の高さである（図４）。
【００５４】
これにより、凸条部４５と擬似目地凸条部２５とから、適度な印象を受けるデザインとすることができる。そのため、パネル（外壁パネル１０）に形成された化粧材（凸部１１）から受ける印象を維持しつつ、パネル（外壁パネル１０）の間の目地３０と、擬似目地（縦溝２０）との見え方を、同じようにすることができる。
【００５５】
また、凸条部（第１凸条部４６と第２凸条部４７）により形成される影４６Ａ，４７Ａを、リップ部（第１リップ部４２）により形成される影４２Ａより、大きくすることができる。そのため、凸条部（第１凸条部４６と第２凸条部４７）による影４６Ａ，４７Ａを、リップ部（第１リップ部４２）により形成される影４２Ａより、強調することができる。
【実施例２】
【００５６】
実施例２のパネル構造は、目地と擬似目地の構成が異なる点で、実施例１のパネル構造と相違する。
【００５７】
［目地の構成］
図７は、実施例２の外壁パネルの構造を示す分解断面図である。図８は、実施例２の外壁パネルの構造を示す断面図である。以下、図７及び図８に基づいて、実施例２の目地の構成を説明する。なお、上記実施例で説明した内容と同一乃至均等な部分の説明については、同一用語又は同一の符号を用いて説明する。
【００５８】
実施例２の目地１３０は、図７に示すように、外壁パネル１０の縁部としての面取り部１２と、ガスケット１４０とで、凹溝状に形成される。
【００５９】
ガスケット１４０は、芯部４１の一方の先端から横方向に突出して形成される第１リップ部１４２を有する。第１リップ部１４２の表面１４２ａが、外側に傾斜するように突出して、凸条部１４５を形成する。
【００６０】
凸条部１４５は、ガスケット１４０の幅方向において、第１リップ部４２の先端より内側で、ガスケット４０の長手方向に延在して、外側に突出する。第１リップ部１４２の表面１４２ａは、凸条部１４５の側面を構成する。
【００６１】
凸条部１４５の先端には、凹条部１４８が形成される。凹条部１４８は、凸条部１４５の頂から内側（屋内側）に凹んで形成される。凹条部１４８は、第１斜面１４８ａと第２斜面１４８ｂとで、断面Ｖ字状に形成される。
【００６２】
凹条部１４８が形成されることで、凸条部１４５は、第１凸条部１４６と第２凸条部１４７とを有する。第１凸条部１４６と第２凸条部１４７は、シャープな山型に形成される。凸条部１４５は、第１凸条部１４６と第２凸条部１４７とで略Ｍ型の２つのピークを有するシャープな形状（ツインピークス形状）に形成される。
【００６３】
［擬似目地の構成］
以下、図８に基づいて、実施例２の擬似目地の構成を説明する。
【００６４】
外壁パネル１０には、図８に示すように、擬似目地としての縦溝１２０が形成される。縦溝１２０は、面取り部１６と、溝底部１７と、擬似目地凸条部１２５と、擬似目地凹条部１２８と、とで凹溝状に形成される。
【００６５】
擬似目地凸条部１２５は、凸条部１４５と並行に形成される。擬似目地凸条部１２５は、横方向において、縦溝１２０の中央付近から外側に突出して形成される。擬似目地凸条部１２５は、凸条部１４５と略同じ形状に形成される。
【００６６】
擬似目地凸条部１２５は、第１擬似目地凸条部１２６と第２擬似目地凸条部１２７とで略Ｍ型の２つのピークを有するシャープな形状（ツインピークス形状）に形成される。第１擬似目地凸条部１２６と第２擬似目地凸条部１２７とは、それぞれ、第１凸条部１４６と第２凸条部１４７と同じ形状に形成される。
【００６７】
擬似目地凸条部１２５の先端には、擬似目地凹条部１２８が形成される。擬似目地凹条部１２８は、凹条部１４８と略同じ形状に形成される。
［パネルの構造の作用］
次に、実施例２のパネル構造の作用を説明する。実施例１のパネル構造において、凹条部１４８と擬似目地凹条部１２８は、断面Ｖ字状に形成される（図７及び図８）。
【００６８】
これにより、パネル（外壁パネル１０）間の目地１３０と、擬似目地（縦溝１２０）とを、シャープな印象を与えるデザインに統一することができる。そのため、パネル（外壁パネル１０）の間の目地１３０と、擬似目地（縦溝１２０）との見え方を、シャープな印象を与えるデザインにして、同じようにすることができる。
【００６９】
なお、他の構成及び作用効果については、上記実施例と略同様であるので説明を省略する。
【００７０】
以上、本発明のパネルの構造を実施例１及び実施例２に基づき説明してきた。しかし、具体的な構成については、これらの実施例に限られるものではなく、特許請求の範囲の各請求項に係る発明の要旨を逸脱しない限り、各実施例の組み合わせ、設計の変更や追加等は許容される。
【００７１】
実施例１及び実施例２では、擬似目地としての縦溝２０，１２０を、面取り部１６と溝底部１７と擬似目地凸条部２５，１２５と擬似目地凹条部２８，１２８とで凹溝状に形成される例を示した。しかし、図９に示すように、擬似目地２２０は、擬似目地凸条部１２５と擬似目地凹条部１２８とで凸状（うね状）に形成されてもよい。
【００７２】
実施例１及び実施例２では、目地３０，１３０を、面取り部１２とガスケット４０，１４０とで、凹溝状に形成される例を示した。しかし、図１０に示すように、目地２３０は、ガスケット１４０によって、凸状（うね状）に形成されてもよい。
【００７３】
実施例１及び実施例２では、本発明をユニット建物１の外壁パネル１０の構造に適用する例を示した。しかし、本発明は、在来工法の建物の外壁パネルや、ツーバイフォー工法の建物の外壁パネルや、コンクリート造の建物の外壁パネル等に適用することができる。また、本発明は、内壁パネルや天井パネル等に適用することができる。
【符号の説明】
【００７４】
１        ユニット建物
１０      外壁パネル（パネルの一例）
２０      縦溝（擬似目地の一例）
２５      擬似目地凸条部
２６      第１擬似目地凸条部（凸条部の一例）
２７      第２擬似目地凸条部（凸条部の一例）
２８      擬似目地凹条部
３０      目地
４０      ガスケット
４２      第１リップ部（リップ部）
４５      凸条部
４８      凹条部
【図１】
2020176390.tif 000003
【図２】
2020176390.tif 000004
【図３】
2020176390.tif 000005
【図４】
2020176390.tif 000006
【図５】
2020176390.tif 000007
【図６】
2020176390.tif 000008
【図７】
2020176390.tif 000009
【図８】
2020176390.tif 000010
【図９】
2020176390.tif 000011
【図１０】
2020176390.tif 000012